(57)【要約】【課題】  スリープ状態から復帰する際に、表示される設定画面の機能に適応して各デバイスの初期化処理を切り換える。【解決手段】    複数のデバイスと、各デバイスに電源を供給する電源手段とを備え、第１の電力状態よりも低い第２の電力状態に遷移させる画像形成装置において、前記第２の電力状態から復帰する際に表示すべき設定画面として特定の機能を登録しておく。そして、第２の電力状態を解除する要求を受け付けることに応じて、前記特定の機能が登録されているかどうかを判断する。ここで、特定の機能が登録されていると判断した場合、当該登録された特定の機能に対応するデバイスの可動部にも電源を供給して初期化処理を実行する。一方、特定の機能が登録されていないと判断した場合、当該登録された特定の機能に対応するデバイスの可動部には電源を供給することなく初期化処理を実行する。【選択図】  図１１
2015222909.tif 000002
【特許請求の範囲】
【請求項１】
第１の電力状態よりも低い第２の電力状態に遷移させる画像形成装置であって、
複数のデバイスと、
各デバイスに電源を供給する電源手段と、
前記第２の電力状態から復帰する際に表示すべき設定画面として特定の機能を登録する登録手段と、
前記第２の電力状態を解除する要求を受け付ける受付手段と、
前記第２の電力状態を解除する要求を受け付けることに応じて、前記特定の機能が登録されているかどうかを判断する判断手段と、
前記特定の機能が登録されていると判断した場合、当該登録された特定の機能に対応するデバイスの可動部にも電源を供給して初期化処理を実行し、
前記特定の機能が登録されていないと判断した場合、当該登録された特定の機能に対応するデバイスの可動部には電源を供給することなく初期化処理を実行する制御手段と、
を備えることを特徴とする画像形成装置。
【請求項２】
前記第２の電力状態から復帰する場合に表示される設定画面で登録された設定画面とは異なる設定を受け付けた場合、前記制御手段は、異なる設定に従い初期化処理を実行することを特徴とする請求項１記載の画像形成装置。
【請求項３】
前記複数のデバイスには、プリンタ装置、スキャナ装置、ファクシミリ装置を含むことを特徴とする請求項１記載の画像形成装置。
【請求項４】
前記特定の機能は、複写機能、プリント機能、登録された画像をプリントする機能、スキャン機能、スキャンされた画像を登録する機能、スキャンされた画像を送信する機能を含むことを特徴とする請求項１記載の画像形成装置。
【請求項５】
前記第２の電力状態を解除する要求は、キー操作により節電状態を解除する要求、前記画像形成装置に近づく操作者を検知することに基づく要求を含むことを特徴とする請求項１記載の画像形成装置。
【請求項６】
複数のデバイスと、各デバイスに電源を供給する電源手段とを備え、第１の電力状態よりも低い第２の電力状態に遷移させる画像形成装置の制御方法であって、
前記第２の電力状態から復帰する際に表示すべき設定画面として特定の機能を登録する登録工程と、
前記第２の電力状態を解除する要求を受け付ける受付工程と、
前記第２の電力状態を解除する要求を受け付けることに応じて、前記特定の機能が登録されているかどうかを判断する判断工程と、
前記特定の機能が登録されていると判断した場合、当該登録された特定の機能に対応するデバイスの可動部にも電源を供給して初期化処理を実行し、
前記特定の機能が登録されていないと判断した場合、当該登録された特定の機能に対応するデバイスの可動部には電源を供給することなく初期化処理を実行する制御工程と、
を備えることを特徴とする画像形成装置の制御方法。
【請求項７】
請求項１乃至５のいずれか１項に記載の手段としてコンピュータを機能させること特徴とするプログラム。
【発明の詳細な説明】
【技術分野】
【０００１】
本発明は、画像形成装置、画像形成装置の制御方法、及びプログラムに関するものである。
【背景技術】
【０００２】
省電力機能の向上により、ユーザが画像形成装置のプリンタ装置やスキャナ装置やＦＡＸ装置を使うことが分かった時に、プリンタ装置やスキャナ装置やＦＡＸ装置に対して、通電する方法が提案されている。
【０００３】
例えば、画像形成装置のプリンタ装置やスキャナ装置やＦＡＸ装置に対して、使う時だけ電源を通電する。つまり、スキャン機能を使う時だけスキャナ装置に通電し、プリント機能を使う時だけプリンタ装置に通電し、ＦＡＸ機能を使う時だけＦＡＸ装置に通電する。また同時に、プリンタ装置、スキャナ装置、ＦＡＸ機能に関連するボードやチップに対しても、使う時だけ通電する。
ユーザが使用する時にプリンタ装置やスキャナ装置やＦＡＸ装置に通電する方法だと、画像形成装置は省電力を満たすことはできる。
【０００４】
しかし、画像形成装置が処理を行うことが決定した後に、プリンタ装置やスキャナ装置やＦＡＸ装置に通電して初期化するので、通電やソフトウエア初期化やハードウエア前処理などの、初期化時間がかかってしまう。その結果、プリンタ装置やスキャナ装置やＦＡＸ装置の起動に時間がかかり、その分処理の実行が遅れ、ユーザの利便性を低下させることになってしまう。
【０００５】
また、静音性の向上により、ユーザが画像形成装置のプリンタ装置やスキャナ装置を使うことが分かった時に、プリンタ装置やスキャナ装置に対して、初期化を行う方法が提案されている。つまり、画像形成装置は、起動時やスリープ復帰時に、プリンタ装置やスキャナ装置に通電するが、プリンタ装置やスキャナ装置を使うことが分かった時に動作を行う、動作待ち状態で復帰する。
【０００６】
動作待ち状態は、プリンタ装置やスキャナ装置に通電は行うが、可動部を動かさない状態である。例えば、給紙ユニットや排紙ユニットやマーキングユニットのモータやポリゴンを回さなかったり、マーキングユニットを温調したりしない。また、原稿給紙ユニットのモータを回さなかったり、スキャナユニットのホームポジション調整を行わなかったりする。
【０００７】
逆に、動作待ち解除状態は、プリンタ装置やスキャナ装置に通電すると共に、前述の処理を行う状態である。動作待ち状態は、可動部を動かさないなどの制御により、動作待ち解除状態より省電力である。ユーザが使用する時にプリンタ装置やスキャナ装置を初期化する方法だと、画像形成装置は静音性を満たすことはできる。
【０００８】
しかし、画像形成装置が処理を行うことが決定した後にプリンタ装置やスキャナ装置を初期化するので、通電とソフトウエア初期化は終わっているが、ハードウエア前処理などの、初期化時間がかかってしまう。その結果、プリンタ装置やスキャナ装置の起動に時間がかかり、その分処理の実行が遅れ、ユーザの利便性を低下させることになってしまう。
【０００９】
さらに、スリープから復帰した時に、通常はプリンタ装置やスキャナ装置の電源をオフで復帰するが、デフォルトでコピー画面を設定した時に、プリンタ装置やスキャナ装置の電源をオンで復帰する方法が提案されている。この方法だと、省電力と静音性を満たすことができる。しかし、常にオフかオン状態なので、画像形成装置がオフでスリープ復帰した後だと、ユーザが使おうとしてもすぐに使えないため、ユーザの利便性を低下させることになってしまう。
【先行技術文献】
【特許文献】
【００１０】
【特許文献１】特開平５−１６２４２１号公報
【特許文献２】特開平８−２３８８２２号公報
【特許文献３】特開２０１１−１３４２２３号公報
【特許文献４】特願２０１１−０５２３０３号公報
【発明の概要】
【発明が解決しようとする課題】
【００１１】
特許文献１と特許文献２は、印字する場合のみプリンタ装置の電源状態をオンにし、印刷していない時はプリンタ装置の電源状態をオフに変更する。しかし、プリンタ装置の電源状態をオフにすると、プリンタ装置の初期化時間がかかってしまう。
【００１２】
特許文献３は、スリープ復帰時に印刷関連イベントを実行すると、直近の印刷履歴に基づいて、スリープ解除コマンドを印刷装置に送る。しかし、印刷履歴に基づいて印刷関連イベントを設定する学習機能があったとしても、ユーザがイベントを実行するまで、スリープ解除コマンドを送るかどうかは判断できない。
【００１３】
特許文献４は、スリープ復帰時の初期画面にコピー画面が設定されている場合は、スキャナドライバおよびプリンタドライバの電源をオンして起動する。しかし、スリープ復帰時の初期画面にコピー画面が設定されており、スキャナドライバおよびプリンタドライバの電源をオンで復帰すると、ユーザがコピーを使用しなかったとしても、スリープ復帰時にプリンタ装置やスキャナ装置が動き出してしまう。
つまり、先行技術を用いても、ユーザが使用する時にプリンタ装置やスキャナ装置の、印刷完了が遅くなる問題や、静かに起動できない問題が、解決できない等の課題があった。
【００１４】
本発明は、上記の課題を解決するためになされたもので、本発明の目的は、スリープ状態から復帰する際に、表示される設定画面の機能に適応して各デバイスの初期化処理を切り換えることができる仕組みを提供することである。
【課題を解決するための手段】
【００１５】
上記目的を達成する本発明の画像形成装置は以下に示す構成を備える。
第１の電力状態よりも低い第２の電力状態に遷移させる画像形成装置であって、複数のデバイスと、各デバイスに電源を供給する電源手段と、前記第２の電力状態から復帰する際に表示すべき設定画面として特定の機能を登録する登録手段と、前記第２の電力状態を解除する要求を受け付ける受付手段と、前記第２の電力状態を解除する要求を受け付けることに応じて、前記特定の機能が登録されているかどうかを判断する判断手段と、前記特定の機能が登録されていると判断した場合、当該登録された特定の機能に対応するデバイスの可動部にも電源を供給して初期化処理を実行し、前記特定の機能が登録されていないと判断した場合、当該登録された特定の機能に対応するデバイスの可動部には電源を供給することなく初期化処理を実行する制御手段と、を備えることを特徴とする。
【発明の効果】
【００１６】
本発明によれば、スリープ状態から復帰する際に、表示される設定画面の機能に適応して各デバイスの初期化処理を切り換えることができる。
【図面の簡単な説明】
【００１７】
【図１】画像形成システムの構成を説明するブロック図である。
【図２】操作部の構成を説明する平面図である。
【図３】ＬＣＤタッチパネルに表示されるＵＩ画面を示す図である。
【図４Ａ】ＬＣＤタッチパネルに表示されるＵＩ画面を示す図である。
【図４Ｂ】ＬＣＤタッチパネルに表示されるＵＩ画面を示す図である。
【図５】コントローラの構成を説明するブロック図である。
【図６】コントローラの構成を説明するブロック図である。
【図７】画像形成装置の電源構成を説明するブロック図である。
【図８】電源監視を行うハードウエア構成を説明するブロック図である。
【図９】画像形成装置の給電状態を説明するタイミングチャ−トである。
【図１０】画像形成装置の制御方法を説明するフローチャートである。
【図１１】画像形成装置の制御方法を説明するフローチャートである。
【図１２】画像形成装置の給電状態を説明するタイミングチャ−トである。
【図１３】画像形成装置の制御方法を説明するフローチャートである。
【図１４】画像形成装置の給電状態を説明するタイミングチャ−トである。
【図１５】画像形成装置の制御方法を説明するフローチャートである。
【発明を実施するための形態】
【００１８】
次に本発明を実施するための形態について図面を参照して説明する。
＜システム構成の説明＞
〔第１実施形態〕
図１は、本実施形態を示す画像形成システムの構成を説明するブロック図である。本例は、プリント機能、スキャナ機能、データ通信機能等を実行するデバイスを備える複合機を例とする。
図１において、１は画像形成装置で、ＬＡＮ８を解してコンピュータ９よりジョブを受信可能に構成されている。なお、コンピュータの接続数は、１以上であってもよい。
【００１９】
２はスキャナ装置で、原稿から光学的に画像を読み取りデジタル画像に変換するデバイスとして機能する。４はプリンタ装置で、スキャナ装置２、デジタル画像を用紙と呼ぶ紙デバイスに出力するデバイスとして機能する。５は操作部で、本装置に対する設定をユーザから受け付けたり、処理状態を表示したりするためのタッチパネルやハードキーを備えている。６はハードディスクで、デジタル画像や制御プログラム等を記憶する。７はＦＡＸ装置で、電話回線等にデジタル画像を送受信する。３はコントローラで、上記２，４〜７と接続され各モジュールに指示を出す事で、画像形成装置１上でジョブを実行する。
【００２０】
画像形成装置１は、ＬＡＮ８経由でコンピュータ９からデジタル画像の入出力、ジョブの発行や機器の指示等も行なうことが可能である。スキャナ装置２は、原稿束を自動的に逐次入れ替えることが可能な原稿給紙ユニット２１、原稿を光学スキャンしデジタル画像に変換する事が可能なスキャナユニット２２から成り、変換された画像データはコントローラ３に送信される。
【００２１】
プリンタ装置４は、紙束から一枚づつ逐次給紙可能な給紙ユニット４２、給紙した紙に画像データを印刷するためのマーキングユニット４１、印刷後の紙を排紙するための排紙ユニット４３から成る。
フィニッシャ装置７００は、画像形成装置１のプリンタ装置４の排紙ユニット４３から出力された紙デバイスに対して、排紙、ソート、ステープル、パンチ、裁断、などの加工を施す。
【００２２】
以下、画像形成装置１は実行可能な多彩なジョブ一例を説明する。
〔複写機能〕  
画像形成装置１は、スキャナ装置２から読み込んだ画像をハードディスク６に記録し、同時にプリンタ装置４を使用して印刷を行なう複写機能を備える。
〔画像送信機能〕
画像形成装置１は、スキャナ装置２から読み込んだ画像を、ＬＡＮ８を介してコンピュータ９に送信する画像送信機能を備える。
〔画像保存機能〕
画像形成装置１は、スキャナ装置２から読み込んだ画像をハードディスク６に記録し、必要に応じて画像送信や画像印刷を行なう画像保存機能を備える。
〔画像印刷機能〕
画像形成装置１は、コンピュータ９から送信された例えばページ記述言語を解析し、プリンタ装置４で印刷する画像印刷機能を備える。
【００２３】
図２は、図１に示した操作部５の構成を説明する平面図である。なお、操作部５は、コントローラ３に接続され、ＬＣＤタッチパネルなどで構成され、画像入出力システムを操作するためのユーザＩ／Ｆを提供する。
【００２４】
図２において、８００はＬＣＤタッチパネルであり、主なモード設定、状況表示はここで行われる。８０１は０〜９までの数値を入力するためのテンキーである。８０２はＩＤキーであり、装置が部門管理されている場合に部門番号と暗証モードを入力する際に使用されるものである。
【００２５】
８０３は設定されたモードをリセットするためのリセットキー、８０４は各モードについての説明画面を表示するためのガイドキー、８０５はユーザモード画面に入るためのユーザモードキー、８０６は割り込みコピーを行うための割り込みキーになっている。
【００２６】
８０７はコピー動作をスタートさせるためのスタートキー、８０８は実行中のコピージョブを中止させるためのストップキーである。８０９は節電キーであり、押下することによりＬＣＤタッチパネル８００のバックライトが消え装置はスリープ状態（第２の電力状態）に落ちる。
【００２７】
８１０はカウンタ確認キーであり、このキーを押下することでそれまでに仕様したコピー枚数の集計を表示するカウント画面がＬＣＤタッチパネル８００上に表示される。８１１はＬＣＤタッチパネル８００のコントラストを調整するための調整キーである。  
【００２８】
８１２はジョブの実行中、画像メモリへの画像蓄積中を示すＬＥＤ、８１３はジャム、ドアオープン等装置がエラー状態にあることを示すエラーＬＥＤ、８１４は装置のメインスイッチがＯＮになっていることを示す電源ＬＥＤになっている。
【００２９】
８５１、８５２、８５３、８５４、８５５、８５６はそれぞれのファンクションに対応したキーとして機能し、コピー、スキャンして保存、保存文書の印刷、スキャンして送信、ＦＡＸ、電力見える化、に移行させるためのキーである。
コピーキー８５１は、コピー機能の画面への遷移キーである。
【００３０】
スキャンして保存するキー８５２は、スキャナ装置２でスキャンした画像を、ＨＤＤ６に保存する機能の画面への遷移キーである。保存文書を印刷するキー８５３は、ＨＤＤ６に保存した画像を、プリンタ装置４で印刷する機能への遷移キーである。
【００３１】
スキャンして送信するキー８５４は、スキャナ装置２でスキャンした画像を、ＬＡＮ８を経由して、コンピュータ９へ送る機能への遷移キーである。ファクシミリキー８５５は、ＦＡＸ装置７が電話回線からデータを受けたデータを、コントローラ３経由で、プリンタ装置４を用いて印刷するなどの機能への遷移キーである。電力見える化キー８５６は、画像形成装置１の電力状態を、ＬＣＤタッチパネル８００で確認する機能への遷移キーである。
続いて、画像形成装置１が、コピーキー８５１が押下された時に、ＬＣＤタッチパネル８００に表示する画面について、図３を用いて説明する。
【００３２】
図３は、図２に示したＬＣＤタッチパネル８００に表示されるＵＩ画面の一例を示す図である。本例は、設定変更画面例である。なお、起動時やスリープ復帰時に、ＬＣＤタッチパネル８００に表示する画面を、初期画面と呼ぶ。
図３において、８６１は、初期画面をコピー画面に変更するコピーキーで、当該キー８６１が押下された場合に、ＬＣＤタッチパネル８００に図４Ａの（Ａ）に示す画面が表示される。８６２は、初期画面を、スキャンして保存画面に変更するスキャンして保存キーで、当該キー８６２が押下された場合に、ＬＣＤタッチパネル８００に図４Ａの（Ｂ）に示す画面が表示される。
８６３は、初期画面を、保存文書の印刷画面に変更する保存文書印刷キーで、当該キー８６３が押下された場合に、ＬＣＤタッチパネル８００に図４Ｂの（Ａ）に示す画面が表示される。８６４は、初期画面を、スキャンして送信画面に変更するスキャンして送信キーで、当該キー８６４が押下された場合に、ＬＣＤタッチパネル８００に図４Ｂの（Ｂ）に示す画面が表示される。
【００３３】
選択できるキーは、図２のＬＣＤタッチパネル８００に表示されているファンクション選択画面のキーなど、前述のキー以外にも複数あるが、本論と外れるため説明を割愛する。また、ユーザモードキー８０５が押下された時にＬＣＤタッチパネル８００に表示する画面は、キーを階層化することによって前述の設定画面以外を選択できるようにすることも可能だが、本論とはずれるため説明を割愛する。
続いて、コントローラのブロック図について、図５を用いて説明する。本図を用いて本発明を具体的に適用するモジュールであるコントローラ３について述べる。
【００３４】
図５は、図１に示したコントローラ３の構成を説明するブロック図である。本例の電源供給状態はスタンバイ状態で、すべてのデバイスに電源が供給されている状態を示す。
【００３５】
図５において、コントローラ３はメインボード２００と、サブボード２２０から構成される。メインボード２００はいわゆる汎用的なＣＰＵシステムである。ボード全体を制御するＣＰＵ２０１、ブートプログラムが含まれるブートロム２０２、ＣＰＵがワークメモリとして使用するメモリ２０３、外部バスとのブリッジ機能を持つバスコントローラ２０４、電源断された場合でも消えない不揮発性メモリ２０５を備える。
【００３６】
さらに、ストレージ装置を制御するディスクコントローラ２０６と、半導体デバイスで構成された比較的小容量なストレージ装置であるＳＳＤ等のフラッシュディスク２０７、ＵＳＢを制御することが可能なＵＳＢコントローラ２０８等を備えて構成される。
【００３７】
メインボード２００には外部に、ＵＳＢメモリ２０９、操作部５、ハードディスク６等が接続される。また、ＣＰＵ２０１は、割り込みコントローラ２１０と接続されており、さらに、ネットワークコントローラ２１１、リアルタイムクロック（ＲＴＣ）２１２、ＦＡＸ装置７、ソフトスイッチを持つ操作部５、ＵＳＢコントローラ２０８と接続されている。
【００３８】
サブボード２２０は比較的小さな汎用ＣＰＵシステムと、画像処理ハードウエアから構成される。サブボード２２０は、ボード全体を制御するＣＰＵ２２１、ＣＰＵ２２１がワークメモリとして使用するメモリ２２３、外部バスとのブリッジ機能を持つバスコントローラ２２４、電源断された場合でも消えない不揮発性メモリ２２５を有する。さらに、リアルタイムデジタル画像処理を行なう画像処理プロセッサ（イメージプロセッサ）２２７とデバイスコントローラ２２６を有する。
【００３９】
外部のスキャナ装置２と外部のプリンタ装置４は、デバイスコントローラ２２６を介して、デジタル画像データの受け渡しを行なう。ＦＡＸ装置７はＣＰＵ２２１が直接制御を行なう。プリンタ装置４から排紙した紙デバイスは、フィニッシャ装置７００で加工する。
【００４０】
なお、本図はブロック図であり簡略化している。例えばＣＰＵ２０１、ＣＰＵ２２１等にはチップセット、バスブリッジ、クロックジェネレータ等のＣＰＵ周辺ハードウエアが多数含まれているが、説明の粒度的に不必要であるため簡略化記載しており、このブロック構成が本発明を制限するものではない。
コントローラ３の動作について、紙デバイスによる画像複写を例に説明する。
【００４１】
ユーザが操作部５から画像複写を指示すると、ＣＰＵ２０１がＣＰＵ２２１を介してスキャナ装置２に画像読み取り命令を送る。スキャナ装置２は紙原稿を光学スキャンしデジタル画像データに変換してデバイスコントローラ２２６を介してイメージプロセッサ２２７に入力する。画像処理プロセッサはＣＰＵ２２１を介してメモリ２２３にＤＭＡ転送を行いデジタル画像データの一時保存を行なう。
ＣＰＵ２０１はデジタル画像データがメモリ２２３に一定量もしくは全て入ったことが確認できると、ＣＰＵ２２１を介してプリンタ装置４に画像出力指示を出す。
【００４２】
ＣＰＵ２２１は、イメージプロセッサ２２７にメモリ２２３の画像データの位置を教える。メモリ２２３上の画像データは、プリンタ装置４からの同期信号に従って、イメージプロセッサ２２７とデバイスコントローラ２２６を介してプリンタ装置４に送信される。
プリンタ装置４は、紙デバイスにデジタル画像データを印刷する。
【００４３】
複数部印刷を行なう場合、ＣＰＵ２０１がメモリ２２３の画像データをハードディスク６に対して保存を行い、２部目以降はスキャナ装置２から画像をもらわずともプリンタ装置４に画像を送ることが可能である。
【００４４】
図６は、図１に示したコントローラ３の構成を説明するブロック図である。本例の電源供給状態は、コントローラ３がスリープ時の状態に対応する。
【００４５】
なお、本実施形態において、スリープ状態とは、電力消費量を抑えつつ、起動時間を通常起動時よりも早くすることができる状態である。ユーザが操作しない状態で一定時間が経過した時や、操作部５上のソフトスイッチを押下した時などに、スリープ状態に遷移する。
本図を用いて、本発明を具体的に適用するモジュールであるコントローラ３について述べる。
スリープ状態の給電は、後述する電源部３０１からコントローラ３上の、メモリ２０３、割り込みコントローラ２１０などの最低限必要な個所に給電する。
【００４６】
また、スリープ状態の給電は、割り込みコントローラ２１０へスリープ復帰の割り込みを送る、ネットワークコントローラ２１１、ＲＴＣ２１２、ＵＳＢコントローラ２０８と、操作部５上のソフトスイッチ、各種センサ、ＦＡＸ装置７の一部に給電する。
【００４７】
つまり、図中の網掛け箇所以外に、スリープ状態の時に電源部３０１から給電される。割り込みコントローラ２１０は、スリープ状態のときに、ネットワーク着信、タイマやアラームを検知するＲＴＣ、着信やオフフックを検知するＦＡＸ、ソフトスイッチ、センサ検知、挿抜や通信を検知するＵＳＢなどの１つ以上の割り込みを受ける。
【００４８】
割り込みコントローラ２１０は、割り込みを受けると、ＣＰＵ２０１に通知する。ＣＰＵ２０１はその通知を受けて給電やソフトウエアの状態を通常状態に戻す処理を行う。ただし、スリープ復帰要因はシステムによって異なるため、スリープ状態の給電は本構成に縛られるわけではない。
【００４９】
図７は、図１に示した画像形成装置１の電源構成を説明するブロック図である。以下、画像形成装置１における、コントローラ３とプリンタ装置４、割り込みコントローラ２１０、電源部３０１の構成について、本発明に関わる部分を、図７を用いて説明する。
【００５０】
図７において、割り込みコントローラ２１０には、経路３０２経由で、常時電源が供給されている。
【００５１】
割り込みコントローラ２１０は、画像形成装置１の各部への電力供給を制御する。具体的には、割り込みコントローラ２１０は、ＩＯ信号Ｖ＿ＯＮ３０７を制御（Ｈｉレベル／Ｌｏｗレベル）することによって、リレースイッチ３０８のＯＮ／ＯＦＦを切り替える。リレースイッチ３０８がＯＮになると、電源部３０１から経路３０９経由で、コントローラ３に電力が供給される。また、割り込みコントローラ２１０には、ＣＰＵ２０１から通信により複数のタイマ値が設定され、タイマ起動時には予め設定された動作を実行する。
【００５２】
また、割り込みコントローラ２１０は、ＩＯ信号Ｐ＿ＯＮ３１０を制御（Ｈｉレベル／Ｌｏｗレベル）することによって、リレースイッチ３１１のＯＮ／ＯＦＦを切り替える。リレースイッチ３１１がＯＮになると、電源部３０１から経路３１２経由で、プリンタ装置４に電力が供給される。また、割り込みコントローラ２１０は、ＣＰＵ２０１の指示によって所定のＩＯ信号を動作させる。ＩＯのうち３０５は、プリンタ部４のＣＰＵ３２０へ接続されたＤＣＯＮ＿ＬＩＶＥＷＡＫＥ信号である。この信号がアサートされた状態でプリンタ装置４の電源が投入されると、プリンタ装置４は、可動部を制御したり電力を使ったりする特定の動作を行わず、静かに復帰する。
【００５３】
例えば、モータ、ローラ、ポリゴンなどの回転動作や、ドラム３２１〜３２４の温調やＦＡＮ３２５による排熱処理といった制御がある。スキャナ装置２は、プリンタ装置４と同様に、割り込みコントローラ２１０から制御可能だが、内容が重複するため割愛する。
【００５４】
図８は、図１に示したコントローラ３の電源監視を行うハードウエア構成を説明するブロック図である。以下、コントローラ３の電源制御・リセット回路回りに注目して説明する。
【００５５】
図８において、６０１はメインボード２００上のリセット回路である。６０２はメインボード２００上のＨ／Ｗの基本的な部分を制御するＢＩＯＳである。割り込みコントローラ２１０で、本システムの電源制御を監視する専用Ｈ／Ｗロジックとして構成される。専用Ｈ／Ｗロジックは、ＡＳＩＣ等の場合、小さなＣＰＵシステム等でも良い。６０４はサブボード２２０上のリセット回路である。６０５は各ボード上におけるＨ／Ｗである。
【００５６】
同期型のＨ／Ｗはリセットにより内部状態をリセットするため、同期型で組まれたＨ／Ｗ回路は、電源ＯＮ後、電力が各チップに供給された後に、リセット回路が各Ｈ／Ｗをリセットする必要がある。
【００５７】
複数のＨ／Ｗチップは主従関係を持つため、リセットシーケンスを設計し、順次リセットを掛けていく事になる。そのため一般的には、本実施形態のように、一つのボードに一つのリセット回路を持ち、各々のボード内のリセット動作を、各リセット回路が行うことになる。
【００５８】
メインボード２００のシステムは、特に、本装置で主となるボードであり、割り込みコントローラ２１０を有する。割り込みコントローラ２１０は、ＩＯ信号Ｖ＿ＯＮ３０７を制御（Ｈｉレベル／Ｌｏｗレベル）することによって、リレースイッチ３０８をＯＮ状態にすることで、メインボード２００やサブボード２２０における電源供給を制御する。
【００５９】
ＣＰＵ２０１が正常に動作出来る場合、ＣＰＵ２０１の指示に従いシステムにリセットを掛けることが可能である。また、ＣＰＵ２０１に電源が供給されていない状態では、割り込みコントローラ２１０がＩＯ信号Ｖ＿ＯＮ３０７を制御することによってリレースイッチ３０８がＯＮになり、コントローラ３に電力が供給される。
【００６０】
ＢＩＯＳ６０２は低レベルのＨ／Ｗ制御ライブラリ等が含まれているものである。一般的にはＩＢＭ互換機の互換性確保のためのものであり、いわゆるコンピュータシステム上必須ではないが、例えばＡＣＰＩ規格による省電力機能の一部を実行する事も可能であるため記載した。
【００６１】
以上のＨ／Ｗ構成をもつ画像形成装置１において、例えばシーソースイッチ３１３がＯＦＦにされると、ＣＰＵ２０１は、割り込みコントローラ２１０を介してシーソースイッチ３１３の状態を受け取ることが可能である。つまり、ＣＰＵ２０１は電源ＯＦＦを検知してシャットダウンシーケンスを動作させる。そして、割り込みコントローラ２１０は、ＣＰＵ２０１によるシャットダウン処理が完了すると、リレースイッチ３０８およびリレースイッチ３１１をオフ状態にする。この結果、本システムは完全にシャットダウンされる。
【００６２】
このシャットダウンはＣＰＵ２０１上のプログラムも完全に終了するため、次回電源スイッチ入力３０１をＯＮにした際、ＣＰＵ２０１のプログラムは通常通り起動することになる。
【００６３】
〔起動状態の給電処理〕
続いて、画像形成装置１の起動処理について、説明する。操作者が画像形成装置１を使用する場合は、メインスイッチ３１３をＯＮにする。すると経路３０７より割り込みコントローラ２１０は電源ＯＮを検知し、経路３０７よりリレー３０８が動作して電源部３０１から電源が全装置に供給する。
【００６４】
割り込みコントローラ２１０は、システム全体に電源ＯＮ時に応じた電力供給、具体的にはコントローラ３、プリンタ装置４、スキャナ装置２に各ＤＣ電源供給径路を介して通電を行う。プリンタ装置４、スキャナ装置２は各々のＣＰＵが電源ＯＮによる初期化動作を開始する。
【００６５】
〔スリープ状態の給電状態〕
続いて、画像形成装置１の、スリープ状態について、説明する。
スリープ状態とは、電力消費量を抑えつつ、起動時間を通常起動時よりも早くすることができる状態である。ユーザが操作しない状態で一定時間が経過した時や、操作部５上の節電キー８０９を押下した時などに、スリープ状態に遷移する。
【００６６】
以下、ハードウエアの給電状況について説明する。
電源部３０１から供給された電源は、経路３０９を介してコントローラ３に供給される。スリープ状態の時は、コントローラ３や操作部５などの、次に述べる最低限必要な個所に給電される。コントローラ３では、メモリ２０３、割り込みコントローラ２１０、ネットワークコントローラ２１１、ＲＴＣ２１２、ＵＳＢコントローラ２０８などである。操作部５では、節電キー８０９、ＦＡＸ装置７の一部、各種センサ、などである。ただし、スリープ復帰要因はシステムによって異なるため、スリープ状態の給電は本構成に縛られるわけではない。
【００６７】
以下、ソフトウエアの動作について述べる。
割り込みコントローラ２１０は、スリープ中に、ネットワーク、タイマやアラームを検知するＲＴＣ、着信やオフフックを検知するＦＡＸ、節電キー８０９、各種センサ、挿抜や通信を検知するＵＳＢなどの１つ以上の割り込みを受ける。割り込みコントローラ２１０は、上記した復帰要因をＣＰＵ２０１に通知し、ＣＰＵ２０１はその通知を受けて給電やソフトウエアの状態を通常状態に戻す処理を行う。
【００６８】
〔通常状態で、プリンタ装置４やスキャナ装置２を非使用時の給電状態〕
続いて、画像形成装置１の、プリンタ装置４やスキャナ装置２を使っていない通常状態の給電について、説明する。
通常状態は、すべてのユニットに給電されている状態だけでない。印刷していない時はプリンタ装置４に電源部３０１から給電しない状態や、操作部５が点灯しておらず、ユーザが画像形成装置１の前にいないことが分かっている場合は、スキャナ装置２に対して電源部３０１から給電しない状態などがある。
【００６９】
また、プリンタ装置４の印刷完了や、スキャナ装置２の読取完了を早めるため、電源部３０１から電源を給電する。しかし、印刷のためのモータやポリゴンを動作させない状態や、印刷のための転写ユニットを温調させない状態や、読取のためのホームポジション検知を動作させない状態である、動作待ち状態がある。
【００７０】
〔ＰＤＬ印刷時のプリンタ装置４やスキャナ装置２の給電状態〕
続いて、画像形成装置１の、ＰＤＬ印刷状態でプリンタ装置４やスキャナ装置２を使う状態の給電について、説明する。
画像印刷機能を用いて、プリンタ装置４の電源ＯＮと電源ＯＦＦについて説明する。
【００７１】
コントローラ３のＣＰＵ２０１は、コンピュータ９からＬＡＮ８を経由して、メモリ２０３にデータを受信する。ＣＰＵ２０１は、受信したデータを解析し、画像印刷機能を実行する場合は、印刷ジョブを生成する。
【００７２】
ＣＰＵ２０１は、リレースイッチ３１３を経由して、割り込みコントローラ２１０にリモート信号を通知して、プリンタ装置４に電源部３０１から給電する。ＣＰＵ２０１は、プリンタ装置４が使えるようになると印刷ジョブを実行する。ＣＰＵ２０１は、メモリ２０３から、バスコントローラ２０４、バスコントローラ２２４、ＣＰＵ２０１、イメージプロセッサ２２７、デバイスコントローラ２２６を経由して、プリンタ装置４へデータを送信する。プリンタ装置４は、受信したデータを印刷し、印刷が完了すると、結果をＣＰＵ２０１へ通知する。ＣＰＵ２０１は、印刷が完了すると、リレースイッチ３０８を経由して、電源制御部３０３にリモート信号を通知して、プリンタ装置４の電源をＯＦＦする。
【００７３】
〔コントローラ３の起動処理〕
続いて、コントローラ３の起動処理について、説明する。
割り込みコントローラ２１０は、シーソースイッチ３１３がＯＮ状態になったことを検知すると、ＩＯ信号Ｖ＿ＯＮ３０７を制御してリレースイッチ３０８をオン状態にする。これにより電源部３０１からコントローラ３に電力が供給される。
【００７４】
電源が供給されたＣＰＵ２０１は、ハードウエア初期化を行う。ハードウエア初期化は、レジスタ初期化、割り込み初期化、カーネル起動時のデバイスドライバの登録、操作部５の初期化、などがある。
【００７５】
次に、ＣＰＵ２０１は、ソフトウエア初期化を行う。ソフトウエア初期化は、各ライブラリの初期化ルーチンの呼び出し、プロセスやスレッドの起動、プリンタ装置４やスキャナ装置２とコミュニケーションを行うソフトウェアサービスの起動、操作部５の描画、などがある。最後に、アイドル状態へ移行する。
【００７６】
〔コントローラ３のスリープ移行処理〕
続いて、コントローラ３のスリープ移行処理について、説明する。
ユーザが使用しないアイドル状態が一定時間続くと、ＣＰＵ２０１は画像形成装置１をスリープ状態に遷移する。具体的には、ＣＰＵ２０１は、前述した図６のスリープ時のコントローラ３のブロック図のような電源状態になるように、割り込みコントローラ２１０に指示する。
【００７７】
〔コントローラ３のスリープ復帰処理〕
続いて、コントローラ３のスリープ復帰処理について、説明する。
スリープ中に、スリープ復帰要因である、節電キー８０９の押下イベントを受信すると、ＣＰＵ２０１はスリープ復帰する。割り込みコントローラ２１０は、上記したイベントを検知すると、ＩＯ信号Ｖ＿ＯＮ３０７およびＩＯ信号Ｐ＿ＯＮ３１０を制御して、コントローラ３、プリンタ装置４、スキャナ装置２に電源部３０１から給電されるよう制御する。
【００７８】
印刷ジョブが終了して所定時間が経過すると、ＣＰＵ２０１はスリープ状態に遷移する。ＣＰＵ２０１は、割り込みコントローラ２１０にリモート信号を通知し、電源部３０１からコントローラ３以外の給電を停止する。
【００７９】
〔コピー画面を選択して、ＤｅｅｐＳｌｅｅｐから復帰した場合〕
以下、図９〜図１１を参照して、コピー画面を選択して、ＤｅｅｐＳｌｅｅｐから復帰した場合の処理を説明する。
【００８０】
図９は、本実施形態を示す画像形成装置の給電状態を説明するタイミングチャ−トである。本例は、図１に示したプリンタ装置４やスキャナ装置２の通電状態に対応する。
なお、図９において、Ｘ軸は時間を表す。Ｙ軸は、プリンタ装置４やスキャナ装置２の通電と、ジョブの実行を表す。
イベント発生によって、ジョブの実行状態Ｓ１５４が変化し、コントローラ３、スキャナ装置２、プリンタ装置４、の各通電状態がどのように変化するのかを実線で表している。
【００８１】
一番上の実線は、ＯＮ、Ｓｌｅｅｐ状態のＯＮ、ＯＦＦの３つの状態を持つ、コントローラ３の通電状態である（Ｓ１５１）。次の実線は、動作待ち解除状態のＯＮ、動作待ち状態のＯＮ、ＯＦＦの３つの状態を持つ、スキャナ装置２の通電状態を表している（Ｓ１５２）。
【００８２】
次の実線は、動作待ち解除状態のＯＮ、動作待ち状態のＯＮ、ＯＦＦの３つの状態を持つ、プリンタ装置４の通電状態を表している（Ｓ１５３）。一番下は、画像形成装置１のジョブ実行状態を表している（Ｓ１５４）。
【００８３】
ユーザが画像形成装置１の本体に設けられるシーソースイッチ３１３をＯＮすると、画像形成装置１は前述した起動処理が行われる（Ｓ１０１）。起動後アイドル状態で一定時間経過すると、画像形成装置１は前述したスリープ移行処理が行われる（Ｓ１０２）。ユーザが節電キー８０９を押下することで、アイドル状態になる（Ｓ１０３）。
【００８４】
図１０は、本実施形態を示す画像形成装置の制御方法を説明するフローチャートである。本例は、画像形成装置のコントローラ３によるフラグ設定処理例である。
ユーザは、前述したスリープ復帰時の標準画面設定を開き、コピー画面８６１を選択する（Ｓ１０４）。すると、Ｆ１０１で、ＣＰＵ２０１は、標準画面をコピー画面にする設定を受けて、割り込みコントローラ２１０のレジスタに、コピー機能が使う、スキャナ起動フラグとプリンタ起動フラグを設定する（Ｆ１０２）。この処理は一回のみで構わない。
【００８５】
図１１は、本実施形態を示す画像形成装置の制御方法を説明するフローチャートである。本例は、画像形成装置のコントローラ３によるスリープ復帰処理である。
ＣＰＵ２０１は、ユーザの節電キー８０９の押下や、タイマなどでユーザが一定時間操作しなかったことを検知した時に（Ｓ１０５）、ＬＣＤタッチパネル８００のバックライトをＯＦＦし、スリープ状態になる（Ｆ５０１）。次に、画像形成装置１は、ユーザの節電キー８０９の押下や（Ｓ１０６）、センサが検知するなどのスリープ復帰要求となる要因を受付け（Ｆ５０２）、スリープ復帰の処理を開始する。
ここで、ＣＰＵ２０１は、スリープ復帰要因が操作部５のＵＩパネルを点灯させる、例えば節電キー８０９の押下やセンサ等の復帰要因かどうかを判断する（Ｆ５０３）。
【００８６】
ここで、キー操作により節電状態を解除する要求等のため、ＵＩパネルを点灯させる復帰要因であるとＣＰＵ２０１が判断する。この場合、ＣＰＵ２０１は割り込みコントローラ２１０のレジスタに、プリンタ起動フラグが設定されているかどうかを判断する（Ｆ５０４）。ここで、プリンタ起動フラグが設定されているとＣＰＵ２０１が判断した場合は、プリンタの動作待ち信号を解除する（Ｆ５０５）。本実施形態は、プリンタ起動フラグが設定されているため、プリンタの動作待ち信号を解除する。
【００８７】
同時に、ＣＰＵ２０１は、割り込みコントローラ２１０のレジスタに、スキャナ起動フラグが設定されているかどうかを判断する（Ｆ５０６）。ここで、スキャナ起動フラグが設定されているとＣＰＵ２０１が判断した場合は、スキャナ装置２の動作待ち信号を解除する（Ｆ５０７）。本実施形態は、スキャナ起動フラグが設定されているため、スキャナの動作待ち信号を解除する。
【００８８】
次に、プリンタ装置４やスキャナ装置２の電源を入れ（Ｆ５０８）、スリープ復帰する（Ｆ５０９）。本実施形態は、プリンタ装置４やスキャナ装置２の動作待ち解除状態で電源を入れ、モータ駆動のホームポジション検知や、モータ駆動のカセット段用紙検知や、ポリゴンを回転するなどの動作を行う。
【００８９】
本実施形態によれば、スリープ復帰時にコピーを実行するとＳ１０７、印刷完了までの時間を早くすることができるようになる。画像形成装置１が、スリープ復帰時に、スキャナ装置２とプリンタ装置４を、動作待ち解除状態で電源ＯＮしているためである。
【００９０】
また逆に、スリープ復帰時にコピー以外を実行すると、印刷完了までの時間を出来る限り早くすると共に、静かに起動できる。画像形成装置１は、スリープ復帰時に、スキャナ装置２とプリンタ装置４を、動作待ち状態で電源ＯＮしているためである。
なお、本実施形態では、スキャナ装置２やプリンタ装置４の電源オフ状態からのスリープ復帰処理を記載した。
【００９１】
しかし、スキャナ装置２やプリンタ装置４の電源オン状態からスリープ復帰する場合もある。その場合は、電源オン（Ｆ５０８）で状態変化しないが、動作待ち解除時（Ｆ５０５，Ｆ５０７）に初期化処理を行う。これにより、第１実施形態と同様の効果を得ることができるが、詳細を割愛する。
【００９２】
〔第２実施形態〕
本実施形態は、スキャンして保存画面を標準画面に設定した場合、スキャン機能のみ動作待ちを解除することを特徴とする。
以下、図１１，図１２，図１３を用いて第２実施形態を説明する。
【００９３】
図１２は、本実施形態を示す画像形成装置の給電状態を説明するタイミングチャ−トである。本例は、図１に示したプリンタ装置４やスキャナ装置２の通電状態に対応する。
なお、図１２において、Ｘ軸は時間を表す。Ｙ軸は、プリンタ装置４やスキャナ装置２の通電と、ジョブの実行を表す。図１２は、第１実施形態で説明した図９とほぼ同じため、説明を割愛する。
【００９４】
図１３は、本実施形態を示す画像形成装置の制御方法を説明するフローチャートである。本例は、画像形成装置のコントローラ３によるフラグ設定処理である。
ユーザは、Ｆ２０１で、前述したスリープ復帰時の標準画面設定を開き、スキャンして保存するキー８６２を選択する（Ｓ２０４）。ＣＰＵ２０１は、標準画面をコピー画面にする設定を受けて、割り込みコントローラ２１０のレジスタに、スキャンして保存機能が使う、スキャナ起動フラグを設定する（Ｓ２０２）。この処理は一回のみで構わない。
以下、本実施形態におけるスリープ復帰処理について図１１を参照して説明する。
【００９５】
ＣＰＵ２０１は、ユーザの節電キー８０９の押下や、タイマなどでユーザが一定時間操作しなかったことを検知した時に（Ｓ２０５）、ＬＣＤタッチパネル８００のバックライトをＯＦＦし、スリープ状態になる（Ｆ５０１）。
【００９６】
次に、画像形成装置１は、ユーザの節電キー８０９の押下（Ｓ２０６）や、センサ―が検知するなどのスリープ復帰要因を受け（Ｆ５０２）、スリープ復帰の処理を開始する。スリープ復帰要因が、操作部５のＵＩパネルを点灯させる、例えば節電キー８０９の押下やセンサ等の復帰要因かどうかを判断する（Ｆ５０３）。
【００９７】
ここで、ＵＩパネルを点灯させる復帰要因であるとＣＰＵ２０１が判断した場合、ＣＰＵ２０１は割り込みコントローラ２１０のレジスタに、プリンタ起動フラグが設定されているかどうかを判断する（Ｆ５０４）。ここで、プリンタ起動フラグが設定されているとＣＰＵ２０１が判断した場合は、プリンタ装置４の動作待ち信号を解除する（Ｆ５０５）。本実施形態では、プリンタ起動フラグが設定されていないため、プリンタ装置４の動作待ち信号を解除しない。
同時に、ＣＰＵ２０１は、割り込みコントローラ２１０のレジスタに、スキャナ起動フラグが設定されているかどうかを判断する（Ｆ５０６）。
【００９８】
ここで、スキャナ起動フラグが設定されているとＣＰＵ２０１が判断した場合は、スキャナ装置２の動作待ち信号を解除する（Ｆ５０７）。本実施形態は、スキャナ起動フラグが設定されているため、スキャナ装置２の動作待ち信号を解除する。
【００９９】
次に、プリンタ装置４やスキャナ装置２の電源を入れＦ５０８、スリープ復帰する（Ｆ５０９）。本実施形態は、スキャナ装置２のみ動作待ち解除状態で電源を入れ、モータ駆動のホームポジション検知などの動作を行う。
【０１００】
本実施形態によれば、スリープ復帰時にスキャンして保存を実行するとＳ２０７、スキャナ装置２がスキャンを完了するまでの時間を早く（短縮）することができる。これは、画像形成装置１が、スリープ復帰時に、スキャナ装置２を、動作待ち解除状態で電源ＯＮしているためである。
【０１０１】
また逆に、スリープ復帰時にスキャンして保存以外を実行すると、印刷完了までの時間を出来る限り早くすると共に、画像形成装置１を静かに起動できる。これは、画像形成装置１は、スリープ復帰時に、スキャナ装置２を、動作待ち状態で電源ＯＮしているためである。
【０１０２】
なお、本実施形態のフローは、図３に示した初期画面でスキャンして保存するキー８６２を選択する箇所で、スキャナのみ使用してプリンタは使用しないスキャンして送信８６４などのファンクションを選択した時でも用いることができる。しかしながら、制御手順の内容が重複するため説明を割愛する。
【０１０３】
〔第３実施形態〕
本実施形態では、保存文書の印刷画面を標準画面に設定した場合、プリンタのみ動作待ちを解除する処理を行うことを特徴とする。
以下、図１１、図１４、図１５を用いて第３実施形態を説明する。
【０１０４】
図１４は、本実施形態を示す画像形成装置の給電状態を説明するタイミングチャ−トである。本例は、図１に示したプリンタ装置４やスキャナ装置２の通電状態に対応する。
なお、図１４において、Ｘ軸は時間を表す。Ｙ軸は、プリンタ装置４やスキャナ装置２の通電と、ジョブの実行を表す。図１４は、第１実施形態で説明した図９とほぼ同じため、説明を割愛する。
【０１０５】
図１５は、本実施形態を示す画像形成装置の制御方法を説明するフローチャートである。本例は、画像形成装置のコントローラ３によるフラグ設定処理である。
【０１０６】
ユーザは、Ｓ３０４で、前述したスリープ復帰時の標準画面設定を開き、保存文書の印刷画面８６３を選択する（Ｆ３０１）。そして、ＣＰＵ２０１は、標準画面をコピー画面にする設定を受けて、割り込みコントローラ２１０のレジスタに、保存文書の印刷機能が使う、プリンタ起動フラグを設定する（Ｆ３０２）。この処理は一回のみで構わない。以下、本実施形態におけるスリープ復帰処理を図１１に示したフローチャートに基づいて説明する。
【０１０７】
ＣＰＵ２０１は、ユーザの節電キー８０９の押下や、タイマなどでユーザが一定時間操作しなかったことを検知した時に（Ｓ３０５）、ＬＣＤタッチパネル８００のバックライトをＯＦＦし、スリープ状態になる（Ｆ５０１）。次に、画像形成装置１は、ユーザの押下やＳ３０６、センサが検知するなどのスリープ復帰要因を受け（Ｆ５０２）、スリープ復帰の処理を開始する。
ＣＰＵ２０１は、スリープ復帰要因が、操作部５のＵＩパネルを点灯させる、例えば節電キー８０９の押下やセンサ等の復帰要因かどうかを判断する（Ｆ５０３）。
【０１０８】
ここで、ＵＩパネルを点灯させる復帰要因であるとＣＰＵ２０１が判断した場合、ＣＰＵ２０１は割り込みコントローラ２１０のレジスタに、プリンタ起動フラグが設定されているかどうかを確認する（Ｆ５０４）。
【０１０９】
一方、プリンタ起動フラグが設定されているとＣＰＵ２０１が判断した場合は、プリンタ装置４の動作待ち信号を解除するＦ５０５。本実施形態は、プリンタ起動フラグが設定されているため、プリンタ装置４の動作待ち信号を解除する。同時に、ＣＰＵ２０１は割り込みコントローラ２１０のレジスタに、スキャナ起動フラグが設定されているかどうかを判断する（Ｆ５０６）。
【０１１０】
ここで、スキャナ起動フラグが設定されているとＣＰＵ２０１が判断した場合は、スキャナ装置２の動作待ち信号を解除する（Ｆ５０７）。本実施形態は、スキャナ起動フラグが設定されていないため、スキャナ装置２の動作待ち信号を解除しない。
【０１１１】
次に、プリンタ装置４やスキャナ装置２の電源を入れ（Ｆ５０８）、スリープ復帰する（Ｆ５０９）。本実施形態は、プリンタ装置４のみ動作待ち解除状態で電源を入れ、モータ駆動のカセット段用紙検知や、ポリゴンを回転するなどの初期化動作を行う。
【０１１２】
本実施形態によれば、スリープ復帰時に保存文書の印刷を実行すると（Ｓ３０７）、画像形成装置１が印刷完了までの時間を早くすることができる。これは、画像形成装置１が、スリープ復帰時に、プリンタ装置４を、動作待ち解除状態で電源ＯＮしているためである。
【０１１３】
また逆に、スリープ復帰時に保存文書の印刷以外を実行すると、画像形成装置１が印刷完了までの時間を出来る限り早くすると共に、静かに起動できる。これは、画像形成装置１は、スリープ復帰時に、プリンタ装置４を、動作待ち状態で電源ＯＮしているためである。
【０１１４】
なお、本実施形態のフローは、保存文書の印刷だけでなく、レポートプリントなど、スキャナを使用せずプリンタのみ使用する同様の動作でも用いることができるが、内容が重複するため割愛する。
【０１１５】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【０１１６】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【０１１７】
３  コントローラ
２１０  割り込みコントローラ
【図１】
2015222909.tif 000003
【図２】
2015222909.tif 000004
【図３】
2015222909.tif 000005
【図４Ａ】
2015222909.tif 000006
【図４Ｂ】
2015222909.tif 000007
【図５】
2015222909.tif 000008
【図６】
2015222909.tif 000009
【図７】
2015222909.tif 000010
【図８】
2015222909.tif 000011
【図９】
2015222909.tif 000012
【図１０】
2015222909.tif 000013
【図１１】
2015222909.tif 000014
【図１２】
2015222909.tif 000015
【図１３】
2015222909.tif 000016
【図１４】
2015222909.tif 000017
【図１５】
2015222909.tif 000018